(57)【要約】【課題】  ぶれや撮像光学系の特性等で撮像素子の持つ本来の解像度を充分に生かすことのできない画像となる場合に、撮影画像の画質に応じ、解像度を変更して記録することにより、低コストで、メモリ容量を効率よく有効活用できる撮像装置を得る。【解決手段】  撮像素子と、撮像光学系と、撮像素子からの光電変換出力に所定の処理を施し画像データとした後、記録する記録手段を有する撮像装置において、ぶれや撮像光学系の特性等で撮像素子の持つ本来の解像度を充分に生かすことのできない画像となるとき、撮像素子で得られる解像度より低い解像度で記録手段に記録する撮像装置とする。【選択図】        図３
2005184745.tif 000002
【特許請求の範囲】
【請求項１】
被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、
撮影時に、所定値以下のシャッタ速度を使用するか又は所定値以下の被写体輝度のとき、前記撮像素子で得られる解像度より低い解像度で前記記録手段に記録することを特徴とする撮像装置。
【請求項２】
前記記録手段に記録する前記撮像素子で得られる解像度より低い解像度は、前記シャッタ速度又は前記被写体輝度に対応して、複数あることを特徴とする請求項１に記載の撮像装置。
【請求項３】
被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、
撮影前及び／又は撮影後に取り込んだ、複数の画像を評価し、ぶれが発生すると判断された場合には、前記撮像素子で得られる解像度より低い解像度で前記記録手段に記録することを特徴とする撮像装置。
【請求項４】
被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、
撮影動作中に、ぶれが発生したと判断された場合には、前記撮像素子で得られる解像度より低い解像度で前記記録手段に記録することを特徴とする撮像装置。
【請求項５】
前記ぶれの判断は、撮影された画像の高周波成分に基づいて判断することを特徴とする請求項４に記載の撮像装置。
【請求項６】
前記撮像装置は手ぶれを検知する検知手段を有し、前記手ぶれの判断は前記検知手段からの出力に基づいて判断することを特徴とする請求項４に記載の撮像装置。
【請求項７】
前記記録手段に記録する前記撮像素子で得られる解像度より低い解像度は、前記ぶれの程度に対応して、複数あることを特徴とする請求項３〜６のいずれか１項に記載の撮像装置。
【請求項８】
被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、
撮影時に使用する前記撮像光学系の特性値に基づいて、前記撮像素子で得られる解像度より低い解像度で前記記録手段に記録することを特徴とする撮像装置。
【請求項９】
前記撮像光学系の特性値は、絞り値であることを特徴とする請求項８に記載の撮像装置。
【請求項１０】
前記記録手段に記録する前記撮像素子で得られる解像度より低い解像度は、前記絞り値に対応して、複数あることを特徴とする請求項８又は９に記載の撮像装置。
【請求項１１】
前記撮像装置は表示手段を有し、前記撮像素子で得られる解像度より低い解像度で前記記録手段に記録するときは、その旨を前記表示手段に表示することを特徴とする請求項１〜１０のいずれか１項に記載の撮像装置。
【請求項１２】
前記撮像装置は、前記低い解像度での記録と前記撮像素子で得られる解像度での記録を選択する選択手段を有し、該選択手段により、選択可能としたことを特徴とする請求項１１に記載の撮像装置。
【発明の詳細な説明】
【技術分野】
【０００１】
本発明は、デジタルカメラやカメラ付き携帯端末等の撮像装置に関し、詳しくは撮像素子を備え、得られた画像をメモリ等の記録手段に記録する撮像装置に関するものである。
【背景技術】
【０００２】
従来より、被写体像を固体撮像素子により光電変換し、この光電変換されたデータを処理し、画像として記録用のメモリに記録する所謂デジタルカメラが広く普及している。また、小型で薄型の撮像装置が携帯電話機やＰＤＡ（Ｐｅｒｓｏｎａｌ  Ｄｉｇｉｔａｌ  Ａｓｓｉｓｔａｎｔ）等の小型、薄型の電子機器である携帯端末に搭載されるようになり、これにより遠隔地へ音声情報だけでなく画像情報も相互に伝送することが可能となっている。
【０００３】
これらの撮像装置は画質（解像度）や圧縮率の大小を選択して記録する記録モードを備え、用途にあった画質を得ることができるのが一般的である。
【０００４】
また、これらの撮像素子を使用した撮像装置の手ぶれ或いは被写体ぶれの補正に関し、各種の方法が知られている。このぶれ補正の方法として、撮像光学系内で光学的に補正をおこなう補正用光学素子を内蔵する方法と、それ以外の方法に大別される。
【０００５】
光学的なぶれ補正以外の補正をおこなうカメラとしては、例えば、撮像素子の有効画素領域を基本撮像領域とその周囲に設けた手ぶれ補正領域として設定し、手ぶれが生じているときは、手ぶれ量に応じて基本撮像領域をシフトさせ、このシフトした領域の画像を撮影画像として抽出し、手ぶれ補正をおこなうカメラが開示されている（例えば、特許文献１参照）。
【０００６】
一方、テレビ会議システムでの画像データ伝送の最適化を目的とし、カメラの傾きに対応して画像データの解像度を変更したり、被写体距離に応じて画像データの解像度を変更し、伝送時間と必要な解像度を両立させ最適化するカメラが開示されている（例えば、特許文献２参照）。
【特許文献１】特開２００１−２８５６９８号公報
【特許文献２】特開平９−２３３７５号公報
【発明の開示】
【発明が解決しようとする課題】
【０００７】
ぶれ補正を、撮像光学系内に内蔵した補正用光学素子によりおこなう方法は、撮像光学系が大型化し、ぶれ検知センサーから得られた信号の処理回路及び補正用光学素子等が必要になり、大幅なコスト増となる問題がある。
【０００８】
上記の特許文献１に記載のぶれ補正では、撮像素子の光電変換面を基本撮像領域とその周囲に設けた手ぶれ補正領域に割り当てるため、撮像素子の全有効画素数を用いた撮影ができず、手ぶれがないときでも、基本撮像領域で規定した画素数以下での撮影しかできないという問題がある。
【０００９】
また、上記の特許文献２に記載のカメラは、テレビ会議に使用する場合は有効であるが、例えば至近距離の撮影であっても、高解像力での撮影を望まれる場合もあり、通常の一般ユーザーに使用されるカメラとしては不適切な条件となる場合がある。
【００１０】
一方、手ぶれ或いは被写体ぶれした画像を、他の画像と同様に、高解像度で記録しても全体或いは部分的に流れた不鮮明な画像となり、この不鮮明な画像をメモリに記録しても、結果的にメモリ容量を無駄に使用していることになる。
【００１１】
本発明は、上記問題に鑑み、手ぶれ、被写体ぶれ、撮像光学系の特性等で撮像素子の持つ本来の解像度を充分に生かすことのできない画像となる場合に、撮影画像の画質に応じ、解像度を変更して記録することにより、低コストで、メモリ容量を効率よく有効活用できる撮像装置を得ることを目的とするものである。
【課題を解決するための手段】
【００１２】
上記の目的は、以下のような構成により解決される。
【００１３】
１）  被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、撮影時に、所定値以下のシャッタ速度を使用するか又は所定値以下の被写体輝度のとき、前記撮像素子で得られる解像度より低い解像度で前記記録手段に記録することを特徴とする撮像装置。
【００１４】
２）  前記記録手段に記録する前記撮像素子で得られる解像度より低い解像度は、前記シャッタ速度又は前記被写体輝度に対応して、複数ある１）の撮像装置。
【００１５】
３）  被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、撮影前及び／又は撮影後に取り込んだ、複数の画像を評価し、ぶれが発生すると判断された場合には、前記撮像素子で得られる解像度より低い解像度で前記記録手段に記録することを特徴とする撮像装置。
【００１６】
４）  被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、撮影動作中に、ぶれが発生したと判断された場合には、前記撮像素子で得られる解像度より低い解像度で前記記録手段に記録することを特徴とする撮像装置。
【００１７】
５）  前記ぶれの判断は、撮影された画像の高周波成分に基づいて判断する４）の撮像装置。
【００１８】
６）  前記撮像装置は手ぶれを検知する検知手段を有し、前記手ぶれの判断は前記検知手段からの出力に基づいて判断する４）の撮像装置。
【００１９】
７）  前記記録手段に記録する前記撮像素子で得られる解像度より低い解像度は、前記ぶれの程度に対応して、複数ある３）〜６）のいずれかの撮像装置。
【００２０】
８）  被写体光を光電変換する撮像素子と、該撮像素子の光電変換領域に被写体光を導く撮像光学系と、前記撮像素子から得られる光電変換出力に所定の処理を施し画像データとした後、記録する記録手段を有する撮像装置において、撮影時に使用する前記撮像光学系の特性値に基づいて、前記撮像素子で得られる解像度より低い解像度で前記記録手段に記録することを特徴とする撮像装置。
【００２１】
９）  前記撮像光学系の特性値は、絞り値である８）の撮像装置。
【００２２】
１０）  前記記録手段に記録する前記撮像素子で得られる解像度より低い解像度は、前記絞り値に対応して、複数ある８）又は９）の撮像装置。
【００２３】
１１）  前記撮像装置は表示手段を有し、前記撮像素子で得られる解像度より低い解像度で前記記録手段に記録するときは、その旨を前記表示手段に表示する１）〜１０）のいずれかの撮像装置。
【００２４】
１２）  前記撮像装置は、前記低い解像度での記録と前記撮像素子で得られる解像度での記録を選択する選択手段を有し、該選択手段により、選択可能とした１１）の撮像装置。
【発明の効果】
【００２５】
本発明によれば、撮像素子と、撮像光学系と、撮像素子から得られる光電変換出力に所定の処理を施し画像データとした後、記録する記録手段を有する撮像装置において、撮影時に、所定値以下のシャッタ速度を使用するか又は所定値以下の被写体輝度のとき、即ち、撮影前に手ぶれ又は被写体ぶれが生じる可能性の高いと予想される場合は、撮像素子で得られる解像度より低い解像度で記録手段に記録することにより、新たに機構や回路を付加することなく、低コストで、メモリ容量を効率よく有効活用できる撮像装置を得ることができる。
【００２６】
更に、この記録手段に記録する撮像素子で得られる解像度より低い解像度は、シャッタ速度又は被写体輝度に対応して、複数とすることが好ましく、予想される手ぶれ又は被写体ぶれによる画像の不鮮明さに対応して記録する画像の解像度を変更することで、画質とメモリ容量の効率使用の両立を図ることができる。
【００２７】
また、撮像素子と、撮像光学系と、撮像素子から得られる光電変換出力に所定の処理を施し画像データとした後、記録する記録手段を有する撮像装置において、撮影前に取り込んだ複数の画像データを評価し、ぶれが発生すると判断された場合には、撮像素子で得られる解像度より低い解像度で記録手段に記録することでも、新たに機構や回路を付加することなく、低コストで、メモリ容量を効率よく有効活用できる撮像装置を得ることができる。
【００２８】
また、撮像素子と、撮像光学系と、撮像素子から得られる光電変換出力に所定の処理を施し画像データとした後、記録する記録手段を有する撮像装置において、撮影動作中に、ぶれが発生していると判断された場合には、撮像素子で得られる解像度より低い解像度で記録手段に記録することにより、撮影条件に関わらず、画像の鮮明さに応じ、高画質な画像は高解像度で、低画質の画像は低解像度で記録することでも、新たに機構や回路を付加することなく、低コストで、メモリ容量を効率よく有効活用できる撮像装置を得ることができる。
【００２９】
この撮影時のぶれの判断は、撮影後の画像の高周波成分に基づいて判断することが好ましく、新たに機構や回路を付加することなく、低コストで、メモリ容量を効率よく有効活用できる撮像装置を得ることができる。
【００３０】
或いは、撮影時の手ぶれを検知する検知手段を有し、手ぶれの判断は検知手段からの出力に基づいて判断するようにすれば、露光時に記録する解像度を瞬時に決めることができ、処理時間の短縮の可能な、メモリ容量を効率よく有効活用できる撮像装置を得ることができる。
【００３１】
更に、この記録手段に記録する撮像素子で得られる解像度より低い解像度は、ぶれの程度に対応して、複数とすることが好ましく、画像の不鮮明さに対応して記録する画像の解像度を変更することで、画質とメモリ容量の効率使用の両立を図ることができる。
【００３２】
或いは、撮像素子と、撮像光学系と、撮像素子から得られる光電変換出力に所定の処理を施し画像データとした後、記録する記録手段を有する撮像装置において、撮影時に使用する撮像光学系の特性値に基づいて、撮像素子で得られる解像度より低い解像度で記録手段に記録することによっても、新たに機構や回路を付加することなく、低コストで、メモリ容量を効率よく有効活用できる撮像装置を得ることができる。
【００３３】
この撮像光学系の特性値は、絞り値とすることが好ましく、撮像光学系の絞り値による光学的な解像限界の変化に対応して、高解像度の得られる絞り値での撮影には高解像度で記録し、高解像度の得られない絞り値での撮影には低解像度で記録することにより、新たに機構や回路を付加することなく、低コストで、メモリ容量を効率よく有効活用できる撮像装置を得ることができる。
【００３４】
また、この撮像素子で得られる解像度より低い解像度は、絞り値に対応して、複数とすることが好ましく、光学的な解像限界による画像に対応して記録する画像の解像度を変更することで、画質とメモリ容量の効率使用の両立を図ることができる。
【００３５】
更に、上記のいずれかの撮像装置は表示手段を有し、撮像素子で得られる解像度より低い解像度で記録手段に記録するときは、その旨を表示手段に表示することが好ましく、これにより、使用者は低い解像度で記録手段に記録されることを認知することができる。加えて、この情報によって、撮像素子で得られる解像度で記録したい場合には再撮影をおこなうこともできる。
【００３６】
また、低い解像度での記録と撮像素子で得られる解像度での記録を選択する選択手段を有し、この選択手段により、選択可能とすることが好ましく、使用者の意志を尊重した撮像装置とすることができる。
【発明を実施するための最良の形態】
【００３７】
以下、実施の形態により本発明を詳しく説明するが、本発明はこれに限定されるものではない。
【００３８】
図１は、本発明の撮像装置の一例であるデジタルカメラの外観図である。図１（ａ）はカメラ前面の斜視図、図１（ｂ）はカメラ背面の斜視図である。
【００３９】
図１（ａ）において、８１はズーム撮像光学系、８２はファインダ窓、８３はレリーズ釦、８４はフラッシュ発光部、８６は調光用センサ窓、８７はストラップ取り付け部、８８は外部接続端子（例えば、ＵＳＢ端子）である。８９はレンズカバーであり、開状態で図示のようにズーム撮像光学系８１は撮影可能状態となり、閉方向へ少し移動させることでズーム撮像光学系８１は沈胴する。即ち、レンズカバー８９の開閉とカメラのメインスイッチが連動している。
【００４０】
レリーズ釦８３はその１段の押し込み（以後スイッチＳ１のＯＮという）によりカメラの撮影準備動作、即ち焦点合わせ動作（ＡＦ機能）や露光条件の決定動作（ＡＥ機能）が行われ、その２段の押し込み（以後スイッチＳ２のＯＮという）により撮影露光動作が行われる。
【００４１】
図１（ｂ）において、９１はファインダ接眼部、９２は赤と緑の表示ランプであり、ＡＦやＡＥの情報をスイッチＳ１がＯＮされた時、点灯もしくは点滅により撮影者に表示するものである。９３はズーム釦であり、ズームアップ、ズームダウンをおこなう釦である。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型の記録用メモリが挿脱可能になっている。
【００４２】
図２は、図１に示すデジタルカメラの内部構成を示す概略ブロック図である。同図を用い、内部構成について説明する。なお、本発明には、撮像素子としてＣＣＤ、ＣＭＯＳ等の撮像素子が適用可能であるが、本例においては、撮像素子としてＣＣＤを用いたもので説明する。
【００４３】
同図において、４０は各回路を制御するＣＰＵである。ズーム撮像光学系８１は、レンズ部１、絞りシャッターユニット２、赤外光カットフィルタとオプチカルローパスフィルタを積層した光学フィルタ３、第１モータ４、第２モータ５及び絞りシャッタアクチュエータで構成されている。
【００４４】
レンズ部１は、より詳しくは複数のレンズを有するレンズ系として構成されており、これら複数のレンズの光軸上の位置を第１モータ４を駆動することにより移動させ、変倍がおこなわれるようになっている。また、これら複数のレンズの内、フォーカシングに用られるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００４５】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の光電変換出力である画像アナログ信号を信号処理部１４へ出力する。
【００４６】
信号処理部１４は、撮像回路１３から出力されたアナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこない画像処理部１５へ出力する。
【００４７】
画像処理部１５では、タイミング制御回路１１からのＡ／Ｄ変換用クロックに基づき、入力された画像アナログ信号をＡ／Ｄ変換し、デジタル信号（以下、画像データと称す）に変換する。次に、画像データの黒レベル補正をおこなった後、ホワイトバランス（ＷＢ）の調整がおこなわれる。ホワイトバランスの調整はＣＰＵ４０から入力される変換係数によりおこなわれる。この変換係数は撮影画像毎に設定されるものである。更に、γ補正をおこなった後、画像データを画像メモリ１６に出力する。画像メモリ１６は、画像処理部１５から出力された画像データを記憶するメモリである。
【００４８】
ＶＲＡＭ１７は、画像表示部１００で表示する画像のバッファメモリであり、少なくとも画像表示部１００の画素数と表示に必要なビット数の積算値以上の記憶容量を有している。画像表示部１００には、例えばＬＣＤ、有機ＥＬ等の表示装置が用いられる。なお、使用される表示装置に応じ、ＶＲＡＭ１７と画像表示部１００の間に、画素データをＤ／Ａ変換するＤ／Ａ変換部が設けられる。
【００４９】
これにより、撮影時のフレーミング時には、所定時間間隔で撮像された画像データが画像メモリ１６に記憶されると共に、ＣＰＵ４０で所定の信号処理後にＶＲＡＭ１７へ転送され、画像表示部１００に表示がおこなわれ、被写体像を確認することができ、ファインダとして使用できる（スルー画像表示又はプレビュー画像表示と称す）ようになっている。
【００５０】
また、挿脱可能な記録用メモリ２０に記録された撮影済みの画像は、インターフェイス１９を介しＣＰＵ４０へ転送され、ＣＰＵ４０で所定の信号処理後にＶＲＡＭ１７へ転送され、画像表示部１００に表示がおこなわれ、再生が可能となっている。
【００５１】
インターフェイス１９は、挿脱可能な記録用メモリ２０と信号の授受をおこなうもので、より具体的には記録用メモリ２０への画像データの書き込み及び記録された画像データの読み出しをおこなうものである。
【００５２】
インターフェイス３２は、外部のパーソナルコンピュータ或いはプリンタと信号の授受をおこなうもので、外部入出力端子（例えばＵＳＢ端子）８８を介して、記録用メモリ２０内に記録された画像データを読み出し、外部のパーソナルコンピュータ或いはプリンタへ送出したり、外部のパーソナルコンピュータ或いはプリンタよりデータを受け取ったりするものである。
【００５３】
フラッシュ制御回路２１は、フラッシュ発光部８４の発光を制御する回路である。フラッシュ制御回路２１は、ＣＰＵ４０により制御され、フラッシュ発光の有無、発光タイミング、発光用コンデンサへの充電等を制御しすると共に、調光用センサ２３に接続された調光回路２４から入力される発光停止信号に基づき発光を停止させるようになっている。
【００５４】
時計回路２５は、撮影された日時を管理するものであり、各部へ電源を供給する給電回路２７から電源供給を受けて作動するようにしてもよいが、図示しない別電源で作動させることが望ましい。
【００５５】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００５６】
操作スイッチ群３０は、図１に示すレリーズ釦８３、ズーム釦９３、メニュー／セット釦９５等の各種操作釦によりＯＮ／ＯＦＦするスイッチ群である。この操作ＳＷ３０のＯＮ／ＯＦの信号は、ＣＰＵ４０に送られ、ＣＰＵ４０はＯＮされた操作ＳＷに応じて各部の動作を制御することになる。
【００５７】
ＥＥＰＲＯＭ３１は、不揮発性のメモリであり、カメラの個々に異なる特性値を記憶させておくために用いられる。この個々に異なる特性値とは、例えばズーム撮像光学系８１の各焦点距離におけるフォーカシングレンズの無限位置の情報等であり、製造工程内で予め書き込まれるものである。この、カメラ個々に異なる特性値を、ＣＰＵ４０は必要に応じＥＥＰＲＯＭ３１から読み出し、各部の制御に利用するようになっている。
【００５８】
なお、ＣＰＵ４０は、データの授受、各部のタイミング制御をおこなうのみならず、その他種々の機能をソフトウェアでおこなうものとなっている。例えば、画像メモリ１６より得られる画像データに基づく撮影時の絞り値とシャッタ速度の露光条件の決定（ＡＥ機能）、フォーカシングレンズを小刻みに移動させ、それぞれで得られた画像データに基づいて画像の評価をおこない最適なフォーカシングレンズ位置の決定（ＡＦ機能）、記録用メモリ２０へ記録するために画像データを圧縮する機能、記録用メモリ２０に記録された画像を画像表示部１００に表示するために、記録用メモリ２０に記録された画像データを、読み出し伸張して画像を生成する機能等を有するものである。
【００５９】
上述の撮像装置の一例であるカメラは、静止画像を撮影する静止画撮影モード、動画を撮影する動画撮影モード、記録した画像を画像表示部に再生表示する再生モード、各モードや機能の設定をおこなうセットアップモード等を有するものである。
【００６０】
以上が、本発明の撮像装置の一例であるデジタルカメラの内部構成である。
【００６１】
本発明は静止画撮影モードに関するものであり、以下、メインスイッチがＯＮされたとき、カメラは静止画撮影モードにセットされているものとして説明する。
【００６２】
（第一の実施の形態）
以下、本発明に係る撮像装置の第一の実施の形態について説明する。
【００６３】
図３は、第一の実施の形態に係る撮像装置の動作概略の例を示すフローチャートである。同図に従い説明する。
【００６４】
同図において、メインスイッチがＯＮされる（Ｓ１０１）と各部の初期化（Ｓ１０２）がおこなわれる。図１に示すようなカメラの場合であれば、沈胴していたズーム撮像光学系が繰り出されて（例えばワイド端）、撮影可能な状態とされ、更に内部のフォーカシングに用られるレンズは、所定の初期位置（例えば無限遠の焦点位置）にセットされる。
【００６５】
この後、メインスイッチ或いはモード切替スイッチのいずれかが切り替えられていないか確認し（Ｓ１０３）、共に切り替えられていなければ、画像表示部１００（図１、図２参照）にプレビュー画像表示をおこなう（Ｓ１０４）。次いで、プレビュー画像表示をおこないつつ、スイッチＳ１がＯＮされるのを待機し（Ｓ１０５）、スイッチＳ１がＯＮされるまで、メインスイッチ或いはモード切替スイッチの監視とスイッチＳ１の監視を繰り返す。
【００６６】
スイッチＳ１がＯＮされると、撮影時の絞り値とシャッタ速度の露光条件の決定（ＡＥ機能動作）と、フォーカシングレンズを小刻みに移動させ、それぞれで得られた画像データに基づいて画像の評価をおこない最適なフォーカシングレンズ位置の決定（ＡＦ機能動作）をおこなう（Ｓ１０６）。
【００６７】
次いで、Ｓ１０６で決定したシャッタ速度はＴ１より遅い速度かどうか判断する（Ｓ１０７）。このＴ１は、焦点距離により変化する数値であり、例えば、ズーム撮像光学系の焦点距離を３５ｍｍフィルムカメラに換算した焦点距離をｆとしたとき、１／ｆ秒をＴ１としたものである。ここで、シャッタ速度がＴ１より速い速度の場合は、Ｓ１２１へ移行し、記録する解像度を（Ａ）に設定する。この記録する解像度（Ａ）は、撮像素子の持つ本来の解像度である。
【００６８】
一方、シャッタ速度はＴ１より遅い速度の場合は、Ｓ１０８へ移行し、記録される解像度が、解像度（Ａ）より低い解像度で記録する旨を画像表示部１００（図１、図２参照）に表示する。なお、この表示は画像表示部以外に文字等を表示する他の表示部を有するものについては、他の表示部に表示してもよい。
【００６９】
次に、Ｓ１０９に移行し、解像度（Ａ）より低い解像度で記録してもよいか、使用者（撮影者）の意志を確認する。使用者は、解像度（Ａ）より低い解像度で記録してもよい場合には、操作スイッチ群３０（図２参照）のうちの予め決められたＯＫの意思表示をおこなうスイッチをＯＮし、解像度（Ａ）で記録したい場合には、予め決められたＮＯの意思表示をおこなうスイッチをＯＮする。ここでＮＯの意思表示がなされた場合は、Ｓ１２１へ移行し、記録する解像度を（Ａ）に設定する。
【００７０】
一方、ＯＫの意思表示がなされた場合は、Ｓ１１０へ移行し、Ｓ１０６で決定したシャッタ速度はＴ２より遅いかどうか判断する。このＴ２は、Ｔ１より低速のシャッタ速度であり、Ｔ１よりＴｖ値換算で、例えば１，５だけ低い速度とされている。なおこのＴ２は、ズーム撮像光学系の焦点距離に対応して例えばワイド端でＴｖ値換算で２低く、テレ端でＴｖ値換算で１低くし、中間の焦点距離はこれを按分した数値をとるように構成してもよい。
【００７１】
Ｓ１１０で、Ｓ１０６で決定したシャッタ速度がＴ２より速い場合は、Ｓ１２２へ移行し、記録する解像度を（Ｂ）に設定する。また、Ｓ１０６で決定したシャッタ速度がＴ２より遅い場合は、Ｓ１２３へ移行し、記録する解像度を（Ｃ）に設定する。
【００７２】
これにより、シャッタ速度がＴ１より速い場合及びシャッタ速度がＴ１より低速でも使用者が低解像度で記録することを拒否した場合は記録する解像度が（Ａ）に設定され、使用者が低解像度で記録することに同意した場合には、シャッタ速度がＴ１より遅く、Ｔ２より速い場合は記録する解像度が（Ｂ）に設定され、シャッタ速度がＴ２より遅い場合は記録する解像度が（Ｃ）に設定される。
【００７３】
上述の解像度（Ａ）、（Ｂ）、（Ｃ）は以下のような関係に設定されている。解像度（Ａ）が撮像素子が持つ画素数の解像度であり、解像度（Ｂ）は解像度（Ａ）より低い解像度であり、解像度（Ｃ）は解像度（Ｂ）より低い解像度である。例えば、有効画素数が凡そ４００万画素の撮像素子を搭載したカメラの場合、解像度（Ａ）の場合は２３０４×１７０４画素で記録され、解像度（Ｂ）の場合は１６００×１２００画素にリサイズして記録され、解像度（Ｃ）の場合は６４０×４８０画素にリサイズして記録されるということである。この解像度の各々の数値はこれに限るものでなく、撮像素子の画素数及び設定するＴ１、Ｔ２の数値により適宜決められるものである。
【００７４】
以上の後、再度スイッチＳ１がＯＮされているか確認し（Ｓ１３１）、ＯＦＦされている場合は、Ｓ１０２へ戻り、ＯＮされている場合にはＳ１３２へ移行しスイッチＳ２がＯＮされるのを待機する。Ｓ１３２でスイッチＳ２がＯＮされると、Ｓ１０６で決められた露光条件で撮影動作をおこない（Ｓ１３３）、上述のフローで設定された解像度で記録動作をおこなう（Ｓ１３４）。この記録動作は、画像記録手段である記録用メモリ２０（図２参照）に記録するものである。
【００７５】
この後、記録した解像度を画像表示部１００（図１、図２参照）に表示する（Ｓ１３５）。なお、この表示は画像表示部以外に文字等を表示する他の表示部を有するものについては、他の表示部に表示してもよい。これにより１枚の画像の撮影及び記録が終了し、Ｓ１０２へ戻ることになる。
【００７６】
一方、Ｓ１０３でメインスイッチ或いはモード切替スイッチのいずれかが切り替えられている場合には、Ｓ１４１へ移行してメインスイッチがＯＦＦされているか判断し、メインスイッチがＯＮされている場合には、モード切替スイッチで切り替えられた他のモードへ移行する（Ｓ１４２）。ＯＦＦされている場合には、画像表示部でのプレビュー画像表示の停止や、ズーム撮像光学系の沈胴等の終了処理をおこない（Ｓ１４３）、終了する。
【００７７】
以上のようにすることで、撮影時に所定値以下のシャッタ速度を使用したとき、撮像素子で得られる解像度より低い解像度で記録手段に記録することができるようになる。
【００７８】
このように、撮影条件が、所定値以下のシャッタ速度であるときは、手ぶれや被写体ぶれが発生すると予測し、予めこのシャッタ速度に対応して、記録する解像度を低く設定することにより、新たに機構や回路を付加することなく、低コストで、メモリ容量を効率よく有効活用できる撮像装置を得ることが可能となる。
【００７９】
図４は、第一の実施の形態に係る撮像装置の動作概略の別の例を示すフローチャートである。
【００８０】
同図は、撮影時に、所定値以下の被写体輝度のとき、撮像素子で得られる解像度より低い解像度で記録手段に記録する撮像装置のものであり、図３で説明したフローと大部分が共通であり、同フローには同符号を付与し、異なる部分についてのみ説明する。
【００８１】
図４に示す撮像装置の動作は、Ｓ１０６で撮影時の絞り値とシャッタ速度の露光条件の決定（ＡＥ機能動作）と、最適なフォーカシングレンズ位置の決定（ＡＦ機能動作）をおこなった後、ＡＥ機能動作により決められた絞り値とシャッタ速度の組み合わせ、即ち、被写体輝度により、記録する解像度を変更するようにしたものである。
【００８２】
具体的には、Ｓ１５７で、被写体輝度がＢ１より高い場合は、Ｓ１２１へ移行し、記録する解像度を（Ａ）に設定する。一方、被写体輝度がＢ１より低い場合は、Ｓ１０８へ移行し、記録される解像度が、解像度（Ａ）より低い解像度で記録する旨を画像表示部１００（図１、図２参照）に表示する。なお、この表示は画像表示部以外に文字等を表示する他の表示部を有するものについては、他の表示部に表示してもよい。このＢ１は、例えば、撮像素子の感度がＩＳＯ１００の場合、ワイド端でＥｖ８、テレ端でＥｖ１１とし中間の焦点距離はこれを按分した数値をとるように構成されている。
【００８３】
次に、Ｓ１０９に移行し、解像度（Ａ）より低い解像度で記録してもよいか、使用者（撮影者）の意志を確認する。使用者は、解像度（Ａ）より低い解像度で記録してもよい場合には、操作スイッチ群３０（図２参照）のうちの予め決められたＯＫの意思表示をおこなうスイッチをＯＮし、解像度（Ａ）で記録したい場合には、予め決められたＮＯの意思表示をおこなうスイッチをＯＮする。ここでＮＯの意思表示がなされた場合は、Ｓ１２１へ移行し、記録する解像度を（Ａ）に設定する。
【００８４】
一方、ＯＫの意思表示がなされた場合は、Ｓ１６０へ移行し、更に被写体輝度がＢ２以下かどうか判断する。このＢ２は、Ｂ１より低い被写体輝度であり、各々の焦点距離でＢ１よりＥｖ値換算で、例えば１，５だけ低い輝度とされている。
【００８５】
Ｓ１６０で、被写体輝度がＢ２より低い場合は、Ｓ１２２へ移行し、記録する解像度を（Ｂ）に設定する。また、被写体輝度がＢ２より遅い場合は、Ｓ１２３へ移行し、記録する解像度を（Ｃ）に設定する。
【００８６】
これにより、被写体輝度がＢ１より高い場合及び被写体輝度がＢ１より低くても使用者が低解像度で記録することを拒否した場合は記録する解像度が（Ａ）に設定され、使用者が低解像度で記録することに同意した場合には、被写体輝度がＢ１より低く、Ｂ２より高い場合は記録する解像度が（Ｂ）に設定され、被写体輝度がＢ２より低い場合は記録する解像度が（Ｃ）に設定される。
【００８７】
以降の動作は、図３で説明したのと同様である。また、解像度の各々についても上述と同様である。
【００８８】
このように、撮影条件が、所定値以下の被写体輝度であるときは、必然的にシャッタ速度が遅くなり、手ぶれや被写体ぶれが発生すると予測し、この被写体輝度に対応して、記録する解像度を低く設定することにより、新たに機構や回路を付加することなく、低コストで、メモリ容量を効率よく有効活用できる撮像装置を得ることが可能となる。
【００８９】
図５は、第一の実施の形態に係る撮像装置の動作概略のその他の例を示すフローチャートである。同図に従い説明する。
【００９０】
同図において、Ｓ１０１〜Ｓ１０６までは、図３での説明と同様であるので省略する。Ｓ１０６で上述と同様のＡＥ機能動作と、ＡＦ機能動作をおこなった後、再度スイッチＳ１がＯＮされているか確認し（Ｓ１７１）、ＯＦＦされている場合は、Ｓ１０２へ戻り、ＯＮされている場合にはＳ１７２へ移行し、スイッチＳ２がＯＮされるのを待機する。
【００９１】
Ｓ１７２でスイッチＳ２がＯＮされると、まず、少なくとも２つののプレビュー画像を記憶する（Ｓ１７３）。この後、撮影動作をおこない（Ｓ１７４）、この撮影画像を取り込む（Ｓ１７５）。この複数のプレビュー画像の記憶と撮影画像の取り込みは、撮像素子により光電変換された画像アナログ信号に、上述の所定の処理を施した後の画像データを画像メモリ１６（図２参照）に記憶させることでおこなわれる。
【００９２】
この後、Ｓ１７６へ移行し、Ｓ１７３で記憶した２つのプレビュー画像を比較し、差異がなければ、手ぶれ又は被写体ぶれはないと判断し、Ｓ１８１へ移行し記録する解像度を（Ａ）に設定する。
【００９３】
一方、２つのプレビュー画像に差異がある場合は、Ｓ１７７へ移行し、記録される解像度が、解像度（Ａ）より低い解像度で記録する旨を画像表示部１００（図１、図２参照）に表示する。なお、この表示は画像表示部以外に文字等を表示する他の表示部を有するものについては、他の表示部に表示してもよい。
【００９４】
次に、Ｓ１７８に移行し、解像度（Ａ）より低い解像度で記録してもよいか、使用者（撮影者）の意志を確認する。使用者は、解像度（Ａ）より低い解像度で記録してもよい場合には、操作スイッチ群３０（図２参照）のうちの予め決められたＯＫの意思表示をおこなうスイッチをＯＮし、解像度（Ａ）で記録したい場合には、予め決められたＮＯの意思表示をおこなうスイッチをＯＮする。ここでＮＯの意思表示がなされた場合は、Ｓ１８１へ移行し、記録する解像度を（Ａ）に設定する。
【００９５】
一方、ＯＫの意思表示がなされた場合は、Ｓ１７９へ移行し、２つのプレビュー画像の差異の量が微小か大きいか判断し、微小な場合はＳ１８２へ移行し、記録する解像度を（Ｂ）に設定する。大きい場合はＳ１８３へ移行し、記録する解像度を（Ｃ）に設定する。
【００９６】
これにより、２つのプレビュー画像に差異がない場合及び使用者が低解像度で記録することを拒否した場合は、記録する解像度が（Ａ）に設定され、使用者が低解像度で記録することに同意した場合には、２つのプレビュー画像の差異が微小な場合は、記録する解像度が（Ｂ）に設定され、２つのプレビュー画像の差異が大きい場合は記録する解像度が（Ｃ）に設定されることになる。
【００９７】
この後、Ｓ１７５で取り込まれた撮影画像は設定された解像度にリサイズされ、記録される（Ｓ１８５）。これにより１枚の画像の撮影及び記録が終了し、Ｓ１０２へ戻る。
【００９８】
一方、Ｓ１０３でメインスイッチ或いはモード切替スイッチのいずれかが切り替えられている場合には、Ｓ１４１へ移行してメインスイッチがＯＦＦされているか判断し、メインスイッチがＯＮされている場合には、モード切替スイッチで切り替えられた他のモードへ移行する（Ｓ１４２）。ＯＦＦされている場合には、画像表示部でのプレビュー画像表示の停止や、ズーム撮像光学系の沈胴等の終了処理をおこない（Ｓ１４３）、終了する。
【００９９】
なお、解像度（Ａ）、（Ｂ）、（Ｃ）、の各々については上述と同様である。
【０１００】
また、上記の説明では、比較する２つのプレビュー画像の記憶を、撮影画像取り込みの直前としたが、これに限らず、撮影画像の直後でもよいし、また撮影直前と撮影直後の２つのプレビュー画像を比較するようにしてもよい。或いは、Ｓ１７１とＳ１７２の間、即ち、スイッチＳ１がＯＮされている間、複数のプレビュー画像の取り込みと更新を繰り返し、スイッチＳ２がＯＮされる直前の複数のプレビュー画像を記憶、比較するように構成してもよい。
【０１０１】
このように、撮影前及び／又は撮影後に取り込んだ、複数の画像を評価し、撮影時に手ぶれ又は被写体ぶれが発生すると判断された場合には、記録する解像度を低く設定することにより、新たに機構や回路を付加することなく、低コストで、メモリ容量を効率よく有効活用できる撮像装置を得ることが可能となる。
【０１０２】
なお、上述の例では、記録手段に記録する解像度を、３種に設定して説明したが、これに限らず、撮像素子で得られる解像度とこれより低い解像度の２種、或いは撮像素子で得られる解像度より低い解像度を３種以上として計４種以上に設定しても良く、段階的に変更することで、予想される手ぶれ又は被写体ぶれによる画像の不鮮明さに対応して記録する画像の解像度を変更でき、画質とメモリ容量を両立させた効率的使用ができる。
【０１０３】
（第二の実施の形態）
以下、本発明に係る撮像装置の第二の実施の形態について説明する。
【０１０４】
図６は、第二の実施の形態に係る撮像装置の動作概略の例を示すフローチャートである。同図に従い説明する。
【０１０５】
同図において、メインスイッチがＯＮされる（Ｓ２０１）と各部の初期化（Ｓ２０２）がおこなわれる。この後、メインスイッチ或いはモード切替スイッチのいずれかが切り替えられていないか確認し（Ｓ２０３）、共に切り替えられていなければ、画像表示部１００（図１、図２参照）にプレビュー画像表示をおこなう（Ｓ２０４）。次いで、プレビュー画像表示をおこないつつ、スイッチＳ１がＯＮされるのを待機し（Ｓ２０５）、スイッチＳ１がＯＮされるまで、メインスイッチ或いはモード切替スイッチの監視とスイッチＳ１の監視を繰り返し、スイッチＳ１がＯＮされると、上述と同様のＡＥ機能動作と、ＡＦ機能動作をおこなう（Ｓ２０６）。
【０１０６】
以上の後、再度スイッチＳ１がＯＮされているか確認し（Ｓ２０７）、ＯＦＦされている場合は、Ｓ２０２へ戻り、ＯＮされている場合にはＳ２０８へ移行しスイッチＳ２がＯＮされるのを待機する。Ｓ２０８でスイッチＳ２がＯＮされると、Ｓ２０６で決められた露光条件で撮影動作をおこない（Ｓ２０９）、画像の取り込みをおこなう（Ｓ２１０）。この画像の取り込みは、撮像素子により得られた画像アナログ信号に、上述の所定の処理を施した後の画像データを画像メモリ１６（図２参照）に記憶させることでおこなわれる。
【０１０７】
次いで、この取り込まれた画像がぶれた画像かどうかを評価する（Ｓ２１１）。この評価の方法としては、例えば、Ｓ２１０で取り込まれた画像の空間周波数の分布を抽出し、この分布のうち特定の高周波数成分の有無で判断することでおこなうことができる。即ち、取り込んだ画像に、高周波数成分が無ければ、ぶれた画像であると判断し、高周波数成分があれば、ぶれのない画像と判断するものである。
【０１０８】
Ｓ２１１で、特定の高周波数成分が存在し、ぶれのない画像であると判断された場合は、Ｓ２２１へ移行し記録する解像度を（Ａ）に設定する。
【０１０９】
一方、特定の高周波数成分がなく、即ち、ぶれた画像と判断された場合は、Ｓ２１２へ移行し、記録される解像度が、解像度（Ａ）より低い解像度で記録する旨を画像表示部１００（図１、図２参照）に表示する。なお、この表示は画像表示部以外に文字等を表示する他の表示部を有するものについては、他の表示部に表示してもよい。
【０１１０】
次に、Ｓ２１３に移行し、解像度（Ａ）より低い解像度で記録してもよいか、使用者（撮影者）の意志を確認する。使用者は、解像度（Ａ）より低い解像度で記録してもよい場合には、操作スイッチ群３０（図２参照）のうちの予め決められたＯＫの意思表示をおこなうスイッチをＯＮし、解像度（Ａ）で記録したい場合には、予め決められたＮＯの意思表示をおこなうスイッチをＯＮする。ここでＮＯの意思表示がなされた場合は、Ｓ２２１へ移行し、記録する解像度を（Ａ）に設定する。
【０１１１】
一方、ＯＫの意思表示がなされた場合は、Ｓ２１４へ移行し、ぶれの程度が微小かどうか判断する。この判断は、上述の空間周波数の分布のうち、Ｓ２１１で判断する特定の高周波成分よりも若干低い周波数成分の有無で判断することでおこなわれる。即ち、取り込んだ画像に上述の特定の高周波数成分はないが、これより若干低い周波数成分は有る場合に、ぶれの程度は微小であると判断し、若干低い周波数成分も無い場合は、ぶれの程度が大きいと判断するものである。
【０１１２】
このＳ２１４で、ぶれの程度は微小であると判断された場合は、Ｓ２２２へ移行し、記録する解像度を（Ｂ）に設定する。ぶれの程度が大きいと判断された場合はＳ２２３へ移行し、記録する解像度を（Ｃ）に設定する。
【０１１３】
これにより、取り込み画像に高周波数成分が有る場合、即ちぶれていないと判断した場合及び使用者が低解像度で記録することを拒否した場合は、記録する解像度が（Ａ）に設定され、使用者が低解像度で記録することに同意した場合には、ぶれの程度が微小な場合は、記録する解像度が（Ｂ）に設定され、ぶれの程度が大きい場合は記録する解像度が（Ｃ）に設定されることになる。
【０１１４】
この後、Ｓ２１０で取り込まれた撮影画像は設定された解像度にリサイズされ、記録される（Ｓ２３１）。これにより１枚の画像の撮影及び記録が終了し、Ｓ２０２へ戻る。
【０１１５】
一方、Ｓ２０３でメインスイッチ或いはモード切替スイッチのいずれかが切り替えられている場合には、Ｓ２４１へ移行してメインスイッチがＯＦＦされているか判断し、メインスイッチがＯＮされている場合には、モード切替スイッチで切り替えられた他のモードへ移行する（Ｓ２４２）。ＯＦＦされている場合には、画像表示部でのプレビュー画像表示の停止や、ズーム撮像光学系の沈胴等の終了処理をおこない（Ｓ２４３）、終了する。
【０１１６】
なお、解像度（Ａ）、（Ｂ）、（Ｃ）、の各々については上述と同様であるが、撮像素子の本来持つ解像度（画素数）と、判断するための周波数成分の数値により適宜設定されるものである。
【０１１７】
このように、撮影により取り込んだ画像を評価することで、撮影中に、ぶれが発生したと判断した場合には、記録する解像度を低く設定することにより、新たに機構や回路を付加することなく、低コストで、メモリ容量を効率よく有効活用できる撮像装置を得ることが可能となる。また本例によれば、ぶれた画像でなくとも、取り込んだ画像に高周波数成分が無い場合は低解像度にリサイズして記録されるが、この場合、画像の劣化はなく、これによってもメモリ容量を効率よく有効活用できるという効果を享受できる。
【０１１８】
図７は、第二の実施の形態に係る撮像装置の動作概略の別の例を示すフローチャートである。
【０１１９】
同図は、手ぶれを検知する検知手段を有し、この検知手段が手ぶれを検出したとき、撮像素子で得られる解像度より低い解像度で記録手段に記録する撮像装置のものであり、図６で説明したフローと大部分が共通であり、同フローには同符号を付与し、異なる部分についてのみ説明する。
【０１２０】
本例の撮像装置は、図２に示した概略ブロック図のＣＰＵに、不図示の手ぶれ検知手段を付加し接続したものである。この手ぶれ検知手段としては、例えば角速度センサ、加速度センサ等が適用可能である。
【０１２１】
図７において、Ｓ２１０で画像の取り込みをおこなった後、ＣＰＵは撮影動作時にセンサがぶれを検出したかどうか確認する（Ｓ２５１）。
【０１２２】
Ｓ２５１で、センサがぶれを検出していない場合は、Ｓ２２１へ移行し記録する解像度を（Ａ）に設定する。
【０１２３】
一方、センサがぶれを検出した場合は、Ｓ２１２へ移行し、記録される解像度が、解像度（Ａ）より低い解像度で記録する旨を画像表示部１００（図１、図２参照）に表示する。なお、この表示は画像表示部以外に文字等を表示する他の表示部を有するものについては、他の表示部に表示してもよい。
【０１２４】
次に、Ｓ２１３に移行し、解像度（Ａ）より低い解像度で記録してもよいか、使用者（撮影者）の意志を確認する。使用者は、解像度（Ａ）より低い解像度で記録してもよい場合には、操作スイッチ群３０（図２参照）のうちの予め決められたＯＫの意思表示をおこなうスイッチをＯＮし、解像度（Ａ）で記録したい場合には、予め決められたＮＯの意思表示をおこなうスイッチをＯＮする。ここでＮＯの意思表示がなされた場合は、Ｓ２２１へ移行し、記録する解像度を（Ａ）に設定する。
【０１２５】
一方、ＯＫの意思表示がなされた場合は、Ｓ２５４へ移行し、ぶれの程度が大きいかどうか判断する。この判断は、センサが検出したぶれ量が、Ｓ２５１で判断するぶれ量よりも大きい所定のぶれ量があったかどうかで判断される。即ち、センサが検出したぶれ量が所定のぶれ量より少ない場合に、ぶれの程度は微小であると判断し、所定のぶれ量以上の場合は、ぶれの程度が大きいと判断するものである。
【０１２６】
このＳ２５４で、ぶれの程度は微小であると判断された場合は、Ｓ２２２へ移行し、記録する解像度を（Ｂ）に設定する。ぶれの程度が大きいと判断された場合はＳ２２３へ移行し、記録する解像度を（Ｃ）に設定する。
【０１２７】
これにより、センサがぶれを検出しなかった、即ち、ぶれていなかったと判断した場合及び使用者が低解像度で記録することを拒否した場合は、記録する解像度が（Ａ）に設定され、使用者が低解像度で記録することに同意した場合には、センサの検出する、ぶれの程度が微小な場合は、記録する解像度が（Ｂ）に設定され、ぶれの程度が大きい場合は記録する解像度が（Ｃ）に設定されることになる。
【０１２８】
この後、Ｓ２１０で取り込まれた撮影画像は設定された解像度にリサイズされ、記録される（Ｓ２３１）。これにより１枚の画像の撮影及び記録が終了し、Ｓ２０２へ戻る。
【０１２９】
以降の動作は、図６で説明したのと同様である。なお、解像度（Ａ）、（Ｂ）、（Ｃ）、の各々については上述と同様であるが、撮像素子の本来持つ解像度（画素数）と、センサが検出するぶれの判断基準により適宜設定されるものである。
【０１３０】
このように、手ぶれを検知する検知手段を有し、撮影中に手ぶれの検知手段からの出力に基づいて、手ぶれがあったと判断したときは、記録する解像度を低く設定することにより、メモリ容量を効率よく有効活用できる撮像装置を得ることが可能となる。
【０１３１】
なお、上述の例では、記録手段に記録する解像度を３種に設定して説明したが、これに限らず、撮像素子で得られる解像度とこれより低い解像度の２種、或いは撮像素子で得られる解像度より低い解像度を３種以上として計４種以上に設定しても良く、段階的に変更することで、画像の不鮮明さに対応して記録する画像の解像度を変更でき、画質とメモリ容量の両立した効率的使用ができる。
【０１３２】
（第三の実施の形態）
以下、本発明に係る撮像装置の第三の実施の形態について説明する。第三の実施の形態は、撮像光学系の特性値に基づき、記録手段に記録する解像度を変更するものである。
【０１３３】
図８は、撮像光学系の絞りと解像力の関係の典型的な例を示した図である。同図は、横軸に絞り値、縦軸に解像力をとったものである。同図（ａ）は、絞り開放近傍で最高の解像力を有し、絞り込むに従い解像力が低下するタイプを示し、同図（ｂ）は、絞り開放近傍では解像力が低く、絞り込むに従い解像力が向上し、中間の絞り値で最高解像力となり以降は低下しつつもある程度の解像力を維持するタイプを示している。
【０１３４】
本実施の形態では、このような絞りと解像力の関係に着目し、縦軸のＰ以上の解像力を有する絞り値で撮影した場合は解像度（Ａ）で記録し、Ｐを下まわるがＱ以上の解像力を有する絞り値で撮影した場合は解像度（Ｂ）で記録し、Ｑを下まわる解像力の絞り値で撮影した場合は解像度（Ｃ）で記録する撮像装置に関するものである。
【０１３５】
なお、この絞り値と記録する解像度の関係は、予めＥＥＰＲＯＭ３１（図２参照）に書き込まれているものとして説明する。
【０１３６】
図９は、第三の実施の形態に係る撮像装置の動作概略の例を示すフローチャートである。以下、同図に従い説明するが、同図に示すＳ２０１〜Ｓ２１０は、図６及び図７と同様であるため省略し、Ｓ３５１以降を説明する。
【０１３７】
Ｓ２１０で撮影画像を取り込んだ後、ＣＰＵ４０（図２参照）は、ＥＥＰＲＯＭ３１に予め記録された絞り値と記録する解像度の関係を読み出し、Ｓ２０９の撮影動作に使用した絞り値が、低解像度で記録する必要がある絞り値かどうか確認する（Ｓ３５１）。
【０１３８】
Ｓ３５１で、解像度（Ａ）で記録してよい絞り値の場合は、Ｓ２２１へ移行し記録する解像度を（Ａ）に設定する。
【０１３９】
一方、撮影に使用した絞り値が低解像度で記録する必要のある絞り値の場合は、Ｓ２１２へ移行し、記録される解像度が、解像度（Ａ）より低い解像度で記録する旨を画像表示部１００（図１、図２参照）に表示する。なお、この表示は画像表示部以外に文字等を表示する他の表示部を有するものについては、他の表示部に表示してもよい。
【０１４０】
次に、Ｓ３５３に移行し、解像度（Ａ）より低い解像度で記録してもよいか、使用者（撮影者）の意志を確認する。使用者は、解像度（Ａ）より低い解像度で記録してもよい場合には、操作スイッチ群３０（図２参照）のうちの予め決められたＯＫの意思表示をおこなうスイッチをＯＮし、解像度（Ａ）で記録したい場合には、予め決められたＮＯの意思表示をおこなうスイッチをＯＮする。ここでＮＯの意思表示がなされた場合は、Ｓ２２１へ移行し、記録する解像度を（Ａ）に設定する。
【０１４１】
一方、ＯＫの意思表示がなされた場合は、Ｓ３５４へ移行し、撮影に使用した絞り値が解像度（Ｂ）で記録するよう指定されているか判断する。この判断は、ＣＰＵが読み込んだＥＥＰＲＯＭのデータを参照して判断される。
【０１４２】
このＳ３５４で、解像度（Ｂ）で記録するよう指定されている場合は、Ｓ２２２へ移行し、記録する解像度を（Ｂ）に設定する。解像度（Ｂ）で記録するよう指定されていない場合はＳ２２３へ移行し、記録する解像度を（Ｃ）に設定する。
【０１４３】
これにより、撮像光学系の解像力が高い場合及び使用者が低解像度で記録することを拒否した場合は、記録する解像度が（Ａ）に設定され、使用者が低解像度で記録することに同意した場合には、撮像光学系の解像劣化が微小な場合は、記録する解像度が（Ｂ）に設定され、撮像光学系の解像劣化が大きい場合は記録する解像度が（Ｃ）に設定されることになる。
【０１４４】
この後、Ｓ２１０で取り込まれた撮影画像は設定された解像度にリサイズされ、記録される（Ｓ２３１）。これにより１枚の画像の撮影及び記録が終了し、Ｓ２０２へ戻る。
【０１４５】
一方、Ｓ２０３でメインスイッチ或いはモード切替スイッチのいずれかが切り替えられている場合には、Ｓ２４１へ移行してメインスイッチがＯＦＦされているか判断し、メインスイッチがＯＮされている場合には、モード切替スイッチで切り替えられた他のモードへ移行する（Ｓ２４２）。ＯＦＦされている場合には、画像表示部でのプレビュー画像表示の停止や、ズーム撮像光学系の沈胴等の終了処理をおこない（Ｓ２４３）、終了する。
【０１４６】
なお、解像度（Ａ）、（Ｂ）、（Ｃ）、の各々については上述と同様であるが、撮像素子の本来持つ解像度（画素数）と、撮像光学系の解像力により適宜設定されるものである。
【０１４７】
このように、撮影時に使用した撮像光学系の解像力が高い場合は高解像度で記録し、撮影時に使用した撮像光学系の解像力が低い場合は撮像素子で得られる解像度より低い解像度で記録手段に記録することにより、メモリ容量を効率よく有効活用できる撮像装置を得ることが可能となる。
【０１４８】
なお、上述の例では、記録手段に記録する解像度を３種に設定して説明したが、これに限らず、撮像素子で得られる解像度とこれより低い解像度の２種、或いは撮像素子で得られる解像度より低い解像度を３種以上として計４種以上に設定しても良く、段階的に変更することで、撮像光学系の有する解像性能に対応して、記録する画像の解像度を変更でき、画質とメモリ容量を両立させた効率的使用ができる。
【０１４９】
更に、絞り値と解像力の関係で記録する解像度を設定するように構成したもので説明したが、絞り値に限るものでなく、撮像光学系の他の特性要因と解像力との関係に基づき、記録する解像度を設定するように構成したものも本発明を逸脱するものではない。
【０１５０】
なお、上記の第一〜第三の実施の形態においては、低い解像度で記録してもよいか、使用者（撮影者）の意志を確認し、ＯＫの意思表示がおこなわれた後に、いずれの低解像度とするかを設定するよう構成したが、これに限るものでなく、先にいずれの低解像度とするかを判断し、この判断による解像度を表示した後、使用者（撮影者）の意志を確認するよう構成してもよいのは勿論である。
【０１５１】
また、撮像素子で得られる解像度を、記録時の最高解像度として説明したが、セットアップモード等で、記録する最高解像度を撮像素子で得られる解像度より予め低く設定されている場合には、この予め低く設定された解像度を記録時の最高解像度とするよう構成してもよい。
【０１５２】
更に、撮像光学系が固定されたカメラを例にとり説明したが、これに限るものでなく、レンズ交換式のカメラにも適用可能であるのは言うまでもない。更に、第三の実施の形態においては、絞り値と記録する解像度の関係をＥＥＰＲＯＭに記憶させるようにしたが、レンズ交換式の場合には交換レンズに情報を記録したＲＯＭを内蔵させ、本体のＣＰＵがレンズ側のＲＯＭの内容を読み取るように構成してもよいのは勿論である。
【０１５３】
加えて、撮影毎に低解像度で記録してもよいか確認するように構成したが、セットアップモードにより、上述のような解像度を変更するモードと変更しないモードを用意しておき、予め選択してセットするよう構成してもよい。また、ズーム撮像光学系で説明したが、単焦点レンズにも適用可能なのは言うまでもない。
【０１５４】
以上説明したように、撮像素子の持つ本来の解像度を充分に生かすことのできない撮影画像となる場合に、撮影画像の画質に応じ、解像度を変更して記録することにより、低コストで、メモリ容量を効率よく有効活用できる撮像装置を得ることができた。
【図面の簡単な説明】
【０１５５】
【図１】本発明の撮像装置の一例であるデジタルカメラの外観図である。
【図２】図１に示すデジタルカメラの内部構成を示す概略ブロック図である。
【図３】第一の実施の形態に係る撮像装置の動作概略の例を示すフローチャートである。
【図４】第一の実施の形態に係る撮像装置の動作概略の別の例を示すフローチャートである。
【図５】第一の実施の形態に係る撮像装置の動作概略のその他の例を示すフローチャートである。
【図６】第二の実施の形態に係る撮像装置の動作概略の例を示すフローチャートである。
【図７】第二の実施の形態に係る撮像装置の動作概略の別の例を示すフローチャートである。
【図８】撮像光学系の絞りと解像力の関係の典型的な例を示した図である。
【図９】第三の実施の形態に係る撮像装置の動作概略の例を示すフローチャートである。
【符号の説明】
【０１５６】
１  レンズ部
２  絞りシャッターユニット
３  光学フィルタ
１３  撮像回路
１４  信号処理部
１５  画像処理部
１６  画像メモリ
１７  ＶＲＡＭ
１９  インターフェイス
２０  記録用メモリ
３０  操作スイッチ群
３１  ＥＥＰＲＯＭ
４０  ＣＰＵ
８１  ズーム撮像光学系
１００  画像表示部
【図１】
2005184745.tif 000003
【図２】
2005184745.tif 000004
【図３】
2005184745.tif 000005
【図４】
2005184745.tif 000006
【図５】
2005184745.tif 000007
【図６】
2005184745.tif 000008
【図７】
2005184745.tif 000009
【図８】
2005184745.tif 000010
【図９】
2005184745.tif 000011